(57)【要約】  呼吸マスクは着脱可能に取り付けられた支持フレームを有し、支持フレームは補正レンズフレームを調整可能且つ着脱可能に取り付ける。補正レンズフレームは、付勢部材が内部に埋め込まれている成形ブリッジをさらに有する。支持フレーム上のピボットタブは、支持フレーム上の所望の位置にレンズフレームを解除可能に固定するために、レンズフレーム上の複数のデテントのうちの１つに嵌まる。支持フレーム上に横方向に配置された取付ラグが、呼吸マスクの一体成形ポケットに嵌まる。
2008539886.tif 000002
【特許請求の範囲】
【請求項１】
呼吸マスクであって、
使用者の顔面に適合すると共に前部に開口を有する面体と、
マスクの使用者が見るために前記開口内に取り付けられるバイザーと、
前記バイザーの裏側で前記面体に着脱可能に取り付けられる補正レンズ支持フレームと、
前記補正レンズ支持フレーム上に調整可能に取り付けられる補正レンズフレームと
を有する、呼吸マスク。
【請求項２】
前記補正レンズフレームは、該フレームのサイドを該フレームのほぼ中央部分で弾性的に曲げるために付勢部材が内部に埋め込まれているインサート成形ブリッジを有する、請求項１に記載の呼吸マスク。
【請求項３】
前記補正レンズ支持フレームは、前記バイザーの形状に合致する形状を有する、請求項１に記載の呼吸マスク。
【請求項４】
前記支持フレームは、該支持フレームの上部及び下部を接続するほぼ縦方向の中央ブリッジを備え、該ブリッジの後ろにほぼ横方向の複数のデテントを有し、
前記デテントは、前記補正レンズフレームを前記支持フレーム上の所望の縦方向の位置に調整可能に固定するために、前記補正レンズフレーム上の突起と嵌合する、請求項１に記載の呼吸マスク。
【請求項５】
前記支持フレームは、該フレームの両側に形成される取付ラグをさらに有し、
前記取付ラグのそれぞれは、前記面体の内側でポケット内に嵌まる離間した突起を有する、請求項１から４のいずれか一項に記載の呼吸マスク。
【請求項６】
前記支持フレームは、前記中央ブリッジ内に穴を有し、
前記面体の内側は、前記バイザーの上に位置する隆起を有し、
前記隆起は、前記支持フレームを前記面体上に部分的に取り付けるために、前記ブリッジ内の穴に嵌まる、請求項４又は５に記載の呼吸マスク。
【請求項７】
前記突起は、前記支持フレームの前記中央ブリッジとの係合のロック及びロック解除間を移動可能である枢着ロックタブ上に形成される、請求項４から６のいずれか一項に記載の呼吸マスク。
【請求項８】
前記補正レンズフレームは中央片を備え、
前記中央片は、前記支持フレームの中央ブリッジに被さり該支持フレームに前記補正レンズフレームを摺動可能に取り付ける一対の対向アームを有する、請求項１から３のいずれか一項に記載の呼吸マスク。
【請求項９】
前記補正レンズフレームは枢着ロックタブを備え、
前記枢着ロックタブは、前記補正レンズフレームを前記支持フレーム上の所望の縦方向の位置に調整可能に固定するために、前記支持フレームの中央ブリッジとの係合のロック及びロック解除間を移動可能である、請求項１から３のいずれか一項に記載の呼吸マスク。
【発明の詳細な説明】
【技術分野】
【０００１】
本発明は呼吸マスクに関する。本発明のいくつかの態様のうち１つの態様では、本発明は、補正レンズフレームを調整可能に取り付けるようになっている着脱可能に取り付けられる補正レンズ支持フレームを有する呼吸マスクに関する。本発明のいくつかの態様のうち別の態様では、本発明は、一体型の弾性的に折り曲げ可能な補正レンズフレームを有する呼吸マスクに関する。本発明の別の態様では、本発明は、補正レンズフレームをマスクの調整位置に保持する解除可能なロックを有する呼吸マスクに関する。本発明のいくつかの態様のうち別の態様では、本発明は、補正レンズフレームを取り付けるようになっていると共にマスクに固定保持される補正レンズ支持フレームを有する呼吸マスクに関する。
【０００２】
［関連出願の相互参照］
本出願は、２００５年５月４日に出願された米国仮特許出願第６０／６７７，５０９号（その全体は参照により本明細書に援用される）の利益を主張する。
【背景技術】
【０００３】
呼吸マスクは一般に、煤煙、薬品、及び生物兵器を含む有害な物質を吸い込むことから保護するために、危険な環境にいる軍人、消防士、及び工業労働者によって使用される。これらの呼吸マスクは、装着者が吸い込む前に空気を浄化するろ過システムを利用するであろうため、危険な環境で利用する際にマスクと装着者の顔面との間の気密シールが極めて重要である。
【０００４】
視覚補正は、呼吸マスクをたまに使用する必要がある職に携わっている者を含めた多くの個々人にとって必要であり、当該技術分野では既知の課題である。従来の眼鏡は、呼吸マスク内にスペースがないこと、及び呼吸マスクに必須の隙間のない嵌合を危うくする眼鏡のサイドフレームの可能性があるため、呼吸マスクと一緒に装着することができない。コンタクトレンズが代わりの視覚補正手段であるが、個々人によっては、アレルギー及び他の症状によりコンタクトレンズの使用が可能ではないであろう。コンタクトレンズはまた、煤煙又は薬品等の環境汚染により汚染される可能性があるため、使用者に問題を引き起こす。
【発明の開示】
【発明が解決しようとする課題】
【０００５】
したがって、マスクを装着する個々人によって用いられる視覚補正レンズアセンブリを有する呼吸マスクが開発されている。マスクが適正に機能するのに必要とされる気密シールを維持するために、どの視覚補正アセンブリもマスク内に設けられねばならない。多くの場合、これらのマスクは危険な状況において用いられるため、レンズが実利用中に適正な位置にあるままとなることも必要不可欠である。また、様々な個々人に対応するようにマスク内のレンズ位置の調整を可能にすること、また、アセンブリが異なる規定物（prescriptions）に対し互換性があると共に視覚補正を必要としない規定物を取り外し可能であることも有利である。呼吸マスク及び、次にいかなるマスクインサートにも、容易な扱い、搬送、及び適合維持を可能にするように折り畳み可能であることも望ましい。
【０００６】
呼吸マスク内に視覚補正を与えるそのような多くのアセンブリが提案されており、それらのアセンブリのいくつかをここにおいて説明する。Altemare, Jr. の米国特許第６，０１９，４６８号は、保護マスクインサートクリップと、及びインサートクリップにレシーバをスナップ嵌めすることによって眼鏡のフロントピースを保護マスクインサートにしっかりと取り付ける着脱可能な手段とを有する眼鏡キットを開示している。フロントピースをマスクから分離可能に装着することができるように、フロントピースは、ヘッドストラップをフロントピースに任意に取り付けるノッチアタッチメントを有している。
【０００７】
マスク内に眼鏡を保持する装置は、Wiseの米国特許第３，５６３，６４０号において開示されている。この装置は、眼鏡フレームに取り付けられる摩擦部材を摺動可能に支持する、ワイヤループを有するばねワイヤを備える。摩擦部材は、眼鏡フレームの縦方向位置を調整するようにワイヤループ上で上下方向に調整可能である。ばねワイヤはマスクの窓に抗するように取り付けられ、そのばね力により所定位置に保持される。
【０００８】
Nielsonの米国特許第３，００４，５２５号は、ノーズピースと、光学インサートをそれ自身が折り曲げることができるように可撓性がある眼鏡フレームとを備える、光学インサートを有するガスマスクを開示する。光学インサートは、マスクに一体成形されると共に光学インサートをスナップ嵌めすることができるようなサイズになっている先端を有するストラップを介してガスマスクに取り付けられる。ストラップは、ガスマスク内の光学インサートの位置を変更するように調整されることができるループを形成する。
【０００９】
補正レンズを保持するサイズになっている一対のヒンジリムを含む保護マスク光学インサートの支持構造がKrusasの米国特許第４，７１１，５３９号に開示されている。リムは互いに重なりヒンジで折り畳むことができ、一対のねじりばねにより離間して付勢される。光学インサートがフロントヒンジブロックに取り付けられる。フロントヒンジブロックは、バックブロックに対して上下方向に調整可能である。マスクの面板間に位置する構造要素に取り付けられるアンカーがバックブロックを支持し、それにより、光学インサートが顔面マスクの内側に来る。
【課題を解決するための手段】
【００１０】
本発明による呼吸マスクは、使用者の顔面に適合すると共に前部に開口を有する面体と、マスクの使用者が見るために開口内に取り付けられるバイザーと、バイザーの裏側で面体に着脱可能に取り付けられる補正レンズ支持フレームと、補正レンズ支持フレーム上に調整可能に取り付けられる補正レンズフレームとを備える。
【００１１】
本発明の一実施の形態によれば、補正レンズフレームは、フレームのサイドを当該フレームのほぼ中央部分で弾性的に曲げるために付勢部材が内部に埋め込まれているインサート成形ブリッジを有する。
【００１２】
本発明の別の実施の形態によれば、補正レンズ支持フレームは、バイザーの形状に合致する形状を有する。
【００１３】
本発明のさらに別の実施の形態によれば、支持フレームは、当該支持フレームの上部及び下部を接続するほぼ縦方向の中央ブリッジを備え、該ブリッジの後ろにほぼ横方向の複数のデテントを有し、前記デテントは、前記補正レンズフレームを前記支持フレーム上の所望の縦方向の位置に調整可能に固定するために、補正レンズフレーム上の突起と嵌合する。
【００１４】
本発明のさらに別の実施の形態によれば、支持フレームは、当該フレームの両側に形成される取付ラグをさらに有し、取付ラグのそれぞれは、面体の内側でポケット内に嵌まる離間した突起を有する。
【００１５】
本発明の別の実施の形態では、支持フレームはさらに、中央ブリッジ内に穴を有し、面体の内側は、バイザーの上に位置する隆起を有し、当該隆起は、支持フレームを面体上に部分的に取り付けるために、ブリッジ内の穴に嵌まる。
【００１６】
本発明のさらなる実施の形態では、突起は、支持フレームの中央ブリッジとの係合のロック及びロック解除間を移動可能である枢着ロックタブ上に形成される。
【００１７】
本発明のさらに別の実施の形態では、補正レンズフレームは中央片を備え、中央片は、支持フレームの中央ブリッジに被さり当該支持フレームに補正レンズフレームを摺動可能に取り付ける一対の対向アームを有する。
【００１８】
本発明のさらに別の実施の形態では、補正レンズフレームは枢着ロックタブを備え、枢着ロックタブは、補正レンズフレームを支持フレーム上の所望の縦方向の位置に調整可能に固定するために、支持フレームの中央ブリッジとの係合のロック及びロック解除間を移動可能である。
【発明を実施するための最良の形態】
【００１９】
ここで、図面、特に図１を参照すると、本発明による呼吸マスクアセンブリ１０は、マスク１２を備え、使用者の顔面の上にフィットする面体１４と、透明なバイザー１６と、一対の円形又は楕円形キャニスタフィルタ１８と、会話伝達機能及び呼気機能用のフロントモジュール２０とを有する。マスク１２は、マスク１２の周縁にある複数のハーネスストラップ取付部２２により使用者の顔面に保持される。補正レンズインサート２４がバイザー１６の背後に取り付けられ、支持フレーム２６を有し、当該インサート２４の形状は、バイザー１６と、支持フレーム２６に取り付けられるレンズフレーム２８との形状に合致する。
【００２０】
図２を参照すると、ポケット３０がマスク１２の内側に一体成形されており、面体１４からバイザー１６に向かって前方に突出している。ポケット３０は、支持フレーム２６を嵌める２つの別個のスロット３４を形成する比較的水平方向の仕切り３２を有する。
【００２１】
ここで、図３及び図４を参照すると、支持フレーム２６は、当該フレーム２６の上部及び下部を接続するほぼ縦方向の中央ブリッジ３６を含み、当該ブリッジの上部接続部に設けられたキー穴状スロット３８と、その後ろの複数の横方向デテント４０と、フレーム２６のほぼ縦方向の両側から突出する取付ラグ４２とを有する。支持フレーム２６は好ましくは、半分に折り畳まれることができるように可撓性材料から作製されると共に、ラグ４２が実質的に後方に向かうように若干凸状である。取付ラグ４２は、Ｕ字状の離間した突起４４を備え、当該突起４４は、支持フレーム２６の外側から横方向に左右に突出する傾斜状棘（ramp-like spines）４６を有する。
【００２２】
レンズフレーム２８は、ほぼ横方向のブリッジ部５０によって接合される一対の比較的剛性のレンズホルダ４８を備える。ブリッジ部５０は比較的剛性の中央片５２によって形成され、この中央片５２は、当該中央片５２の両側に延びるインサート成形ヒンジ５４によってレンズホルダ４８間に接続される。ヒンジ５４は、レンズホルダ４８が互いに折り重なることができるように可撓性がある。ヒンジ５４内に埋め込まれている金属ばね８０（図５）は、レンズホルダ４８を図面に説明されている位置に付勢する。中央片５２は、支持フレーム２６の中央ブリッジ３６に被さる一対の対向アーム５６を有する。中央片２６は、レンズフレーム２８の中央片５２に成形される傾斜部６６及びキャッチ部（catch portion）６８を有する一対の溝路６４をさらに有する。ピボットタブ５８が片面から突出する複数の横方向部ブレース６０を有し、これらのブレース６０は中央ブリッジ３６のデテント４０と嵌合するサイズとなっている。タブ５８は、一端に取り付けられているダボ６２と狭端７８とを有する。
【００２３】
ここで、図５を参照すると、金属ばね８０及びタブ５８がレンズフレーム２８から分解されて示されている。ばね８０は薄金属ワイヤの単品から形成され、両端に直線端８６を残してコイル８４を有する中央弧状部８２を有し、この直線端８６はレンズホルダ４８に対して比較的水平方向に延びている。ダボ６２の両端は、溝路６４に合うようになっていると共にそのような形状となっている。
【００２４】
補正レンズインサート２４を組み付けるには、支持フレーム２６の中央ブリッジ３６をレンズフレーム２８の中央片５２に押し付け、それによりアーム５６が中央ブリッジ３６に被さるようにする。そして、ピボットタブ５８のダボ６２は、溝路６４の傾斜部６６に嵌め入れられ、ダボ６２がキャッチ６８の背後に固定されるまで下方且つ内方に押される。タブ５８はキャッチ部６８により枢動可能に保持されると共に、ダボ６２の中央軸を中心に枢動可能である。タブ５８の狭端７８は、タブ５８が上方に枢動するとアーム５６間に隙間なく嵌合する形状となっている。
【００２５】
ここで、図６を参照すると、レンズフレーム２８は支持フレーム２６に対して上下方向に調整可能である。中央片５２は、図４に示す開位置にあるピボットタブ５８と共に中央ブリッジ３６に沿って摺動される。レンズフレーム２８が所望位置にある場合、タブ５８は上方に且つ中央片５２に向かってダボ６２を中心に枢動し、中央片５２にスナップ嵌めされ、それにより、ブレース６０がデテント４０と係合し、狭端７８がアーム５６間でプレス嵌めされることで、所望の縦方向の位置にレンズフレーム２８を固定する。
【００２６】
ここで、図７を参照すると、補正レンズインサート２４がマスク１２内に取り付けられて示されており、支持フレーム２６内のキー穴スロット３８は、バイザー１６の上にマスク１２から突出する隆起７０に嵌まる。隆起７０は、円形ヘッド７２及び筒状ステム７４を有し、ヘッド７２はステム７４よりも若干直径が大きい。円形ヘッド７２はキー穴スロット３８の大部分に挿入され、支持フレーム２６はステム７４がキー穴スロット３８の小部分と係合するように下方に押され、それにより、支持フレーム２６をマスクの所定位置にロックする。取付ラグ４２（図４）は、バイザー１６の両側に位置するポケット３０に挿入される。
【００２７】
図８を参照すると、補正レンズインサート２４を呼吸マスク１２にさらに取り付けるように支持フレーム２６の離間した突起４４がポケット３０のスロット３４に嵌まっている。取付ラグ４２の突起４４の棘４６はポケット３０の壁７６に当接し、呼吸マスク１２のバイザー１６の背後に補正レンズインサート２４を着脱可能に保持する。
【００２８】
本発明をいくつかの特定の実施形態と共に具体的に説明したが、この説明は例示としてのものであり、限定するものではなく、添付の特許請求項の範囲は従来技術が許す限り広範に解釈されるべきであることを理解されたい。
【図面の簡単な説明】
【００２９】
【図１】本発明による着脱可能の補正レンズインサートを備えた呼吸マスクの斜視図である。
【図２】補正レンズインサートが取り付けられておらず、挿入ポケットが示されている、図１の呼吸マスクの一部の拡大斜視図である。
【図３】支持フレームと補正レンズフレームとを有する、図１に示す補正レンズインサートの前面図である。
【図４】タブが開位置にある、図３に示す補正レンズインサートの後面図である。
【図５】補正レンズフレームへのタブの挿入を示す、補正レンズフレームの分解後面図である。
【図６】インサートに対する補正レンズフレームの縦調整機構を示すと共にタブが閉位置にある、図４と同様の後面図である。
【図７】挿入ポケットを示すために呼吸マスクの一部が取り除かれている、図１に示す取り外し可能な補正レンズインサート及び呼吸マスクの後面斜視図である。
【図８】呼吸マスク及び着脱可能な補正レンズインサートの一部を示す、図７の線７−７に沿った断面図である。
【図１】
2008539886.tif 000003
【図２】
2008539886.tif 000004
【図３】
2008539886.tif 000005
【図４】
2008539886.tif 000006
【図５】
2008539886.tif 000007
【図６】
2008539886.tif 000008
【図７】
2008539886.tif 000009
【図８】
2008539886.tif 000010
【国際調査報告】
2008539886.tif 000011
2008539886.tif 000012
2008539886.tif 000013